(57)【要約】      （修正有）【課題】装着時の違和感がより少なく、しかも鼻からずれる恐れが低減されたマスクを提供する。【解決手段】マスク１は、使用者の鼻と口の少なくとも一部を覆う本体部１０と耳掛部１１とを備えている。中央下部に切り欠きが形成された一枚のシート材によって本体部１０と耳掛部１１とが構成されており、シート材の切り欠きの周縁部を接合することによって、本体部１０が外側に突出する凸型形状となっている。シート材の切り欠きよりも上部に、シリコーン樹脂からなる滑り止め部材１３が配置されている。【選択図】図６
0003229873.tif 000002
【実用新案登録請求の範囲】
【請求項１】
使用者の鼻と口の少なくとも一部を覆う本体部と耳掛部とを備えているマスクであって、
中央下部に切り欠きを備えた一枚のシート材によって、前記本体部と前記耳掛部とが形成されており、
前記シート材の前記切り欠きの周縁部が接合されていることによって、前記本体部が外側に突出する凸型形状となっており、
前記本体部の前記切り欠きよりも上部に、シリコーン樹脂からなる滑り止め部材が配置されていることを特徴とするマスク。
【請求項２】
前記シート材が、ポリエステルまたはポリウレタンのいずれか一方もしくは両方を含むシートで形成されていることを特徴とする請求項１記載のマスク。
【考案の詳細な説明】
【技術分野】
【０００１】
本考案は、使用者の顔に装着して鼻および口の周辺を覆うマスクに関する。
【背景技術】
【０００２】
従来から、二つ折りにすると平坦なシート状となり、拡げると外側に膨らんだ形状となる立体マスクが知られている。立体マスクは、左側用と右側用の２枚のシートを接合することで製造することができる。あるいは、１枚のシート材を立体成型することで製造されたマスクも知られている。
【０００３】
特許文献１には、使用者の口と鼻とを被覆することができる覆い部と、覆い部の左右両側から後方向へ延び、耳に掛け回すことが可能な耳掛部とを有するマスクが開示されている。特許文献１のマスクの覆い部は、２枚の不織布が覆い部の中央で接合されており、耳掛部は、左右の不織布の耳に対応する部位にスリットを設けることで形成されている。
【０００４】
特許文献１のマスクは、右側と左側の２枚の不織布を接合することによって立体的なマスクを形成しているため、マスクの中央の上端から下端にかけて、連続した接合部位が存在する。しかしながら、シート材のマスクは、通常、使用者の鼻と顎の少なくとも一部に接触した状態で使用される。このため、使用者によっては、接合部位と鼻や顎が接触したときに違和感を覚えることがある。
【０００５】
接合部位を設けずに、１枚のシート材に加熱処理などを行って立体成型をすることも可能である。しかし、顔の形状に合うような汎用性の高い凹凸を形成するには、加工の工程が複雑なものとなり、また、成型によってシート材の柔軟性が損なわれる恐れがある。このため、２枚のシート材を接合したことによる接合部位を有するマスクが、広く流通している。
【先行技術文献】
【特許文献】
【０００６】
【特許文献１】特開平９−１４９９４５号公報
【考案の概要】
【考案が解決しようとする課題】
【０００７】
本考案は、従来の課題に鑑みてなされたものであり、装着時の違和感がより少なく、しかも鼻からずれる恐れが低減されたマスクの提供を、解決すべき課題としてなされたものである。
【課題を解決するための手段】
【０００８】
本考案のマスクは、使用者の鼻と口の少なくとも一部を覆う本体部と耳掛部とを備えているマスクである。本考案のマスクは、中央下部に切り欠きを備えている一枚のシート材によって本体部と耳掛部とが形成されており、シート材の切り欠きの周縁部が接合されていることによって、本体部が外側に突出する凸型形状となっている。さらに本考案のマスクは、シート材の切り欠きよりも上部に、シリコーン樹脂からなる滑り止め部材が配置されていることを特徴とする。
【０００９】
本考案のマスクは、シート材が、ポリエステルまたはポリウレタンのいずれか一方もしくは両方を含むシートで形成されていることが好ましい。
【考案の効果】
【００１０】
本考案のマスクは、中央下部の切り欠きの周縁部を接合して立体的に形成されるため、中央上部の鼻尖に対応する位置には、接合線が存在しない。そのため、使用者が、鼻、特に鼻尖にごわつき等の違和感を覚えることがない。本考案のマスクは、鼻の形状に適度にフィットして、快適である。また、鼻尖に対応する位置に接合線がないことによって、マスクの美観が向上している。
【００１１】
一方で、本考案のマスクは、中央下部を接合して凸部を形成しているため、口や鼻腔とマスクの間の適度な距離が保たれ、呼吸がしやすい。
【００１２】
さらに、中央上部に、シリコーン樹脂からなる滑り止め部材を配置したことによって、マスクが鼻からずれる恐れが低減されている。
【図面の簡単な説明】
【００１３】
【図１】図１は、実施形態のマスクの斜視図である。
【図２】図２は、実施形態のマスクを裏側から見たときの図である。
【図３】図３は、実施形態のマスクの材料であるシート材の正面図である。
【図４】図４は、実施形態のマスクをたたんだ時の右側面図である。
【図５】図５は、実施形態のマスクの正面図である。
【図６】図６は、使用者が実施形態のマスクを装着した状態を示す図である。
【考案を実施するための形態】
【００１４】
以下、本考案のマスクの最も好適な実施形態について、図面を参照しつつ説明する。図１に好適な実施形態のマスクの斜視図を示し、図２にマスクを裏面から見たときの図を示し、図４にマスクを畳んだときの右側面図を示し、図５にマスクの正面図を示す。また、図３に、マスクの材料であるシート材の正面図を示す。
【００１５】
本明細書および実用新案登録請求の範囲において、「上下」、「左右」、「前後」と記載した場合の方向は、マスクを装着して直立した状態で使用者が認識する上下方向、左右方向、および前後方向にそれぞれ対応している。また、「マスクの表面」とは装着時に外部に向かう面であり、「マスクの裏面」とは装着時に使用者の顔面に対向する面である。
【００１６】
本実施形態のマスク１は、平面状のシート材２０を加工することによって製造される。シート材２０は、通気性があり、且つ伸縮性のある材料で形成される。シート材２０の最も好適な材料は合成樹脂であり、特に、ポリエステル、ポリウレタンのいずれか一方もしくは両方が好適に用いられる。ポリエステル、ポリウレタンに加えて他の合成樹脂や天然繊維を含んでも良く、また天然繊維などのその他の素材や、不織布を適用することも可能である。マスク１には、均一な厚さ０．２ｍｍ〜２．０ｍｍのシート材２０が好適に用いられる。
【００１７】
図３に、本実施形態のシート材２０の形状を示す。シート材２０は、加工後に本体部１０と耳掛部１１を構成する部分を備えており、中央下部に切り欠きが設けられている。切り欠きによって、シート材２０は、右側シート２２と左側シート２３の２つの領域に分けられている。右側シート２２と左側シート２３は、シート材２０の上下方向の中心線を対称軸とする線対称な形状を有している。シート材２０の上辺は、鼻根の周囲に沿わせるために、下に凸の曲線になっている。
【００１８】
シート材２０の右側シート２２と左側シート２３には、耳掛部１１となる部分がそれぞれ設けられている。耳掛部１１は、右側シート２２の右側端部と、左側シート２３の左側端部にそれぞれ配置されており、耳掛穴１２が開口している。図１〜図４には、全体が略楕円形（卵形）で、前方下端部の角が鋭角に形成された耳掛穴１２を示している。しかしながら、耳掛穴１２の前方下端部の形状は任意に変更することができる。耳掛部１１は、耳掛穴１２の後方では、ほぼ一定幅の紐状に形成されている。
【００１９】
従来から顔の様々な寸法を基準にしてマスクのサイズを決定する方法が開示されている。例えば「耳の付け根の一番高いところから、鼻の付け根から１ｃｍ下」までの長さを基準として「子供用サイズ」、「小さめサイズ」、「普通サイズ」、「大きめサイズ」のマスクの大きさを定めた方法が知られている（一般社団法人  日本衛生材料工業連合会のウェブサイト「http://www.jhpia.or.jp/」）。本考案のシート材２０は、これらの基準に準拠して上下方向（高さ方向）と左右方向（幅方向）の大きさを決定することができる。
【００２０】
シート材２０は、下辺から中心部に向かって開口している切り欠きを有している。切り欠きは左右対称な形状となっており、シート材２０の中央上部に長さ２０ｍｍ〜５０ｍｍの連続領域を残している。切り欠きによって形成されている下辺の内側周縁部２１は、外側に凸の曲線となっている。シート材２０は、右側シート２２と左側シート２３のそれぞれの内側周縁部２１を互いに接合することによって、切り欠きの上端を頂とする外側が凸の形状となる。内側周縁部２１の接合方法は、溶着、接着、縫合などの任意の方法をとることができる。
【００２１】
右側シート２２と左側シート２３の接合によって、使用者の口と鼻を覆って閉空間を形成する本体部１０が形成され、外側に突出する凸型形状の立体であるマスク１が得られる。マスク１の本体部１０の中央下部には、内側周縁部２１の接合によって形成された接合線４が配置されている。図４に示すように、マスク１は、接合線４が形成されている中央において上下方向が最も長くなっており、耳掛部１１に近づくにつれて短くなるように形成されている。本体部１０の下辺は、使用者の顎の線に沿うように、直線または緩やかな曲線状となっている。二つに折り畳んだときの本体部１０の形状は、略扇型となる。
【００２２】
図４及び図６に示すように、本考案のマスク１の接合線４は、本体部１０の中央下部の、使用者の鼻尖から顎までを覆う領域に配置されることになる。中央上部には、本体部１０右側部分と左側部分が切れ目なく連なっている連続領域が存在する。連続領域は、使用者の鼻梁を覆う位置に対応している。マスク１は通常、使用者の鼻梁の少なくとも一部に接触する。鼻梁にマスクの接合箇所が接触すると、使用者によっては違和感を覚える場合がある。しかしながら、本実施形態のマスク１は、鼻梁に接する部分に接合線４がないため、使用者が違和感を覚える可能性が予め低減されており、非常に快適に使用することができる。
【００２３】
本体部１０の連続領域の上下方向の長さは、２０ｍｍ〜５０ｍｍである。この連続領域に亘って、本体部１０の上辺と平行になるように、シリコーン樹脂からなる滑り止め部材１３が、配置されている。図５に示すとおり、滑り止め部材１３は、接合線４を対称軸として、本体部１０の右側と左側に線対称に配置される。
【００２４】
滑り止め部材１３は、本体部１０にプリント（印刷）によって配置することが好ましい。しかしながら、溶着、接着、縫合など、任意の方法で固定することも可能である。
【００２５】
図２及び図５に示すように、滑り止め部材１３は、本体部１０の上面からの高さが０．１〜２．０ｍｍ、幅が０．１〜１０．０ｍｍ、長さ５．０〜６０．０ｍｍの紐状に形成されることが好ましい。滑り止め部材１３は、マスク１の本体部１０の中央であって、本体部１０の上辺からの距離が０．５〜３０．０ｍｍのところに配置されることが好ましい。
【００２６】
図６に、使用者が実施形態のマスク１を装着した状態を示す。好適な位置に配置された滑り止め部材１３は、鼻梁に接触して、マスク１がずれることを防止する。滑り止め部材１３は、０．１〜２．０ｍｍの高さであるために本体部１０とほぼ同一平面上にあり、しかもシリコーン樹脂で形成されているために、非常に柔軟性があり、使用者に違和感を与えることがない。
【００２７】
以上、好適なマスクの実施形態を説明したが、ここで示したマスク各部の寸法や形状は例示を目的としたものであり、実用新案登録請求の範囲を限定することを意図したものではない。実用新案請求の範囲には、実施形態の様々を変形し、応用したマスクが含まれる。たとえば、滑り止め部材１３を紐状に配置するのではなく、円形などの点で分散手配置することができる。また、切り欠きを形成する際に、内側周縁部２１の形状をより顔の形状に沿った形に変更することで、全体の形状を適宜変更することができる。
【産業上の利用可能性】
【００２８】
本考案のマスクは、「家庭用マスク」として子供から大人まで、好適に使用することができる。
【符号の説明】
【００２９】
１    マスク
４    接合線
１０    本体部
１１    耳掛部
１２    耳掛穴
１３    滑り止め部材
２０    シート材
２１    内側周縁部
２２    右側シート
２３    左側シート
【図１】
0003229873.tif 000003
【図２】
0003229873.tif 000004
【図３】
0003229873.tif 000005
【図４】
0003229873.tif 000006
【図５】
0003229873.tif 000007
【図６】
0003229873.tif 000008